(57)【特許請求の範囲】
【請求項１】
顧客の操作に基づいて所定の取引を進行させるための第１表示部と、
前記第１表示部とは異なる文字情報を変更可能に表示する第２表示部とを備える画像表示装置であって、
前記第２表示部は操作者の入力指示に応じて輝度が切り替わる
ことを特徴とする画像表示装置。
【請求項２】
前記第２表示部は、高輝度または低輝度の何れかに切替可能に設けられ、
前記操作者の入力指示に応じて前記第２表示部の輝度が前記高輝度から前記低輝度に切り替わる
ことを特徴とする請求項１に記載の画像表示装置。
【請求項３】
前記第１表示部は、画面表示部と入力操作部とを備え、
前記第２表示部は、前記入力操作部が操作者に接触されたことの検知により、前記輝度が切り替えられる
ことを特徴とする請求項１に記載の画像表示装置。
【請求項４】
顧客の操作に基づいて所定の取引を進行させるための第１表示部と、
前記第１表示部とは異なる情報を表示可能な第２表示部とを備える画像表示装置であって、
前記第２表示部は、前記操作者を対象とした情報を表示する際に、低輝度から高輝度に切り替えて表示する
ことを特徴とする画像表示装置。
【請求項５】
顧客の操作に基づいて所定の取引を進行させるための第１表示部と、
前記第１表示部とは異なる情報を表示可能な第２表示部とを備える画像表示装置であって、
前記第２表示部は、高輝度、中輝度、及び低輝度の何れかに切替可能である
ことを特徴とする画像表示装置。
【請求項６】
前記第２表示部は、前記操作者を対象とした情報を表示する際に、前記中輝度に切り替えて情報を表示する
ことを特徴とする請求項４に記載の画像表示装置。
【請求項７】
前記第２表示部は、表示した情報を変更せずに、輝度のみを切替可能である
ことを特徴とする請求項４又は請求項５に記載の画像表示装置。
【請求項８】
現金の入金または出金を行う現金入出金口と、
顧客の媒体を取り扱う媒体取扱部とを備えた自動取引装置であって、
前記顧客の操作に基づいて所定の取引を進行させるための第１表示部と、
前記第１表示部とは異なる文字情報を変更可能に表示する第２表示部と
を備えた自動取引装置であって、
前記第２表示部は操作者の入力指示に応じて輝度を変更する
ことを特徴とする自動取引装置。
【請求項９】
顧客の媒体を取り扱う媒体取扱部と、
前記顧客に対してチケットを発券する発券部と、
前記顧客の操作に基づいて所定の取引を進行させるための第１表示部と、
前記第１表示部とは異なる文字情報を変更可能に表示する第２表示部と
を備えた自動発券装置であって、
前記第２表示部は操作者の入力指示に応じて輝度を変更する
ことを特徴とする自動発券装置。
【発明の詳細な説明】
【技術分野】
【０００１】
本発明は、当該装置を操作する操作者（顧客）を対象とした情報を表示する第１表示部と、当該装置から離れた場所にいる人を対象とした情報を画面に表示する第２表示部とを備える画像表示装置、この画像表示装置を備える自動取引装置および自動発券装置に関する。
【背景技術】
【０００２】
従来、銀行等の金融機関に設置された自動取引装置や、空港等に設置された自動チェックイン装置等には、操作者がそれらの装置を直接操作して取引や手続きが表示されるメイン画面（例  タッチパネルディスプレイ）が備えられている。また、メイン画面とは別に、自動取引装置で行うことができる取引や手続きの案内情報や、広告、宣伝等の情報を表示して、自動取引装置が設置された場所から離れた場所にいる人に情報を提供するサブ画面としてのアイキャッチャディスプレイが備えられていた。
【０００３】
このアイキャッチャディスプレイに表示される情報は、離れた場所にいる人が視認できるようにする必要がある。そのため、例えばアイキャッチャディスプレイのバックライトの輝度を高くすることにより、アイキャッチャディスプレイの画面を明るくし、遠方からでも情報を視認しやすくしていた。
【先行技術文献】
【特許文献】
【０００４】
【特許文献１】特開２００２−１５０３２８号公報
【特許文献２】特開２００９−２３７６４１号公報
【発明の概要】
【発明が解決しようとする課題】
【０００５】
しかしながら、離れた場所にいる人の視認性を考慮して第２表示部（アイキャッチャディスプレイ）のバックライトの輝度を高くすると、装置の操作者にとっては第２表示部の画面の明るさは眩しいものとなる。そのため、装置の操作者が第１表示部（メイン画面）を操作する際に、操作の妨げとなる場合がある。また、第２表示部の画面からの漏れ光が第１表示部の画面に照射され、第２表示部に表示された画像が、第１表示部の画面に映り込んでしまう場合がある。これにより、自動取引装置を操作する操作者は第１表示部の画面が見づらくなり、誤操作が増えるという問題点があった。
【０００６】
本発明は、以上のような問題を解決するためになされたものであり、発光する第２表示部を備えていても、第１表示部の視認性を向上することができる画面表示装置を提供することを課題とする。
【課題を解決するための手段】
【０００７】
前記課題を解決するために、画像表示装置は、顧客の操作に基づいて所定の取引を進行させるための第１表示部と、前記第１表示部とは異なる文字情報を変更可能に表示する第２表示部とを備える画像表示装置であって、前記第２表示部は操作者の入力指示に応じて輝度が切り替わることを特徴とする。
【発明の効果】
【０００８】
本発明によれば、入力指示に応じて第２表示部の輝度を下げることができるので、発光する第２表示部を備えていても、第１表示部の視認性を向上することができる。
また、入力指示に応じて第２表示部に表示されるような、操作者に対して提供される重要な情報に対しては、第２表示部の輝度を上げて表示することで、操作者に気づかせることができる。
【図面の簡単な説明】
【０００９】
【図１】本発明に係る画像表示装置を備えた自動取引装置の外観図である。
【図２】自動取引装置を含むコンテンツ配信システムの構成図である。
【図３】本発明に係る画像表示装置を備えた自動取引装置の内部構成を示すブロック図である。
【図４】アイキャッチャディスプレイに『輝度：高』で表示される画面の一例を示す図である。
【図５】タッチパネルに表示される取引選択画面の一例を示す図である。
【図６】アイキャッチャディスプレイに『輝度：低』で表示される画面の一例を示す図である。
【図７】アイキャッチャディスプレイに表示される自社広告画面の一例を示す図である。
【図８】アイキャッチャディスプレイに表示される外部広告画面の一例を示す図である。
【図９】アイキャッチャディスプレイに表示される取引終了画面の一例を示す図である。
【図１０】アイキャッチャディスプレイに表示される注意喚起画面の一例を示す図である。
【図１１】アイキャッチャディスプレイに表示される別の注意喚起画面の一例を示す図である。
【図１２】本発明に係る画像表示装置を備えた自動取引装置で行われる画像表示動作のフローチャートである。
【図１３】本発明に係る画像表示装置を備えた自動チェックイン装置の外観図である。
【図１４】本発明に係る画像表示装置を備えた自動チェックイン装置のサイズ、アイキャッチャディスプレイの表示面とタッチパネルの表示面とで成す角度を示す図である。
【図１５】本発明に係る画像表示装置を備えた自動チェックイン装置の構成を示すブロック図である。
【図１６】アイキャッチャディスプレイに『輝度：高』で表示される画面の一例を示す図である。
【図１７】タッチパネルに表示される言語選択画面の一例を示す図である。
【図１８】アイキャッチャディスプレイに『輝度：低』で表示される画面の一例を示す図である。
【図１９】アイキャッチャディスプレイに表示される日本語表示画面の一例を示す図である。
【図２０】アイキャッチャディスプレイに表示される英語表示画面の一例を示す図である。
【図２１】アイキャッチャディスプレイに表示される注意喚起画面の一例を示す図である。
【図２２】アイキャッチャディスプレイに表示される取引終了画面の一例を示す図である。
【図２３】アイキャッチャディスプレイに表示される自社広告画面の一例を示す図である。
【図２４】アイキャッチャディスプレイに表示される管理者への警告表示画面の一例を示す図である。
【図２５】本発明に係る画像表示装置を備えた自動取引装置の外観図である。
【発明を実施するための形態】
【００１０】
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１１】
［実施形態１］
＜画像表示装置が備えられた自動取引装置の構成＞
以下、図１〜図３を参照して、本実施形態１に係る自動取引装置（以下、「ＡＴＭ１」と称する）の構成について説明する。
【００１２】
（図１）
図１は、ＡＴＭ１の外観図である。
図１に示すように、ＡＴＭ１は、第１表示部としてのタッチパネルディスプレイ２と、第２表示部としてのアイキャッチャディスプレイ５と、近接センサ６と、カード挿入排出口７と、通帳挿入排出口８と、紙幣入出金口９と、硬貨入出金口１０と、スピーカ１１とを備える。
【００１３】
第１表示部としてのタッチパネルディスプレイ２は、画面表示部３と操作入力部４とを備える。画面表示部３は、画像（情報）を表示する画面である。操作入力部４は、顧客（操作者）から入力された指示を受け付ける構成部である。以下、タッチパネルディスプレイ２を「タッチパネル２」と称する。
以下、実施形態１において、画面表示部３の機能と操作入力部４の機能とを兼ね備えるタッチパネル２を用いる場合について説明するが、画面表示部３としてＬＣＤ（Liquid Crystal Display）モニタ、操作入力部４としてキーボードやテンキーを用いてもよい。
【００１４】
アイキャッチャディスプレイ５は、画面表示部５１と輝度変更部５２（図３）とを備える。画面表示部５１は、画像（情報）を表示する画面であり、例えば、ＬＣＤ（Liquid Crystal Display）や、ＬＥＤ（Light Emitting Diode）の集合体等である。輝度変更部５２は、画像（情報）を表示する際に画面の輝度を変えて光を照射する構成部であり、例えば、画面表示部５１を構成するＬＥＤの輝度を調整する装置や、バックライト等の画面の裏側から光を照射する装置である。
【００１５】
タッチパネル２（画面表示部３）は、ＡＴＭ１を操作して取引等を行う顧客（操作者）を対象とした情報が表示される画面である。一方、アイキャッチャディスプレイ５（画面表示部５１）は、ＡＴＭ１から離れた場所にいる人を対象とした情報が表示される画面である。
また、アイキャッチャディスプレイ５は、ＡＴＭ１から離れた場所にいる人を対象とした情報を画面に表示する際には、輝度を高くして表示する（『輝度：高』）。一方、顧客（操作者）がＡＴＭ１を操作中のときには、操作者の操作を邪魔しない程度に輝度を低くして表示する（『輝度：低』）。
【００１６】
ここで、タッチパネル２とアイキャッチャディスプレイ５とは、図１に示すように離間して設置される。アイキャッチャディスプレイ５の輝度が高いとき、画面からの光（漏れ光）が、タッチパネル２に照射される。この漏れ光がタッチパネル２の画面上で反射することによって、タッチパネル２の画面が見づらくなる。
【００１７】
また、アイキャッチャディスプレイ５が『輝度：低』で表示されるときに、タッチパネル２を操作中の操作者が、アイキャッチャディスプレイ５からの照射光（直接光）を認識することができない程度に、タッチパネル２とアイキャッチャディスプレイ５とが離間して設置されている。その一方、アイキャッチャディスプレイ５が『輝度：高』に切り替えられたとき、アイキャッチャディスプレイ５からの照射光（直接光）を、操作者はタッチパネル２を操作中であっても認識することができる程度に、タッチパネル２とアイキャッチャディスプレイ５とが離間して設置されている。
【００１８】
近接センサ６は、顧客の接近を検知するセンサである。
カード挿入排出口７は、キャッシュカードや振込カード等のカード媒体が挿入および排出される開口部である。
通帳挿入排出口８は、通帳等の冊子状媒体が挿入および排出される開口部である。
紙幣入出金口９は、紙幣が投入および放出される開口部である。
硬貨入出金口１０は、硬貨が投入および放出される開口部である。
スピーカ１１は、音声信号（音声データ）を機械振動に変換して音声を出力する（放音する）。
【００１９】
（図２）
図２は、ＡＴＭを含むコンテンツ配信システムの構成図である。
図２に示すように、コンテンツ配信システム１００は、各店舗に設置される複数のＡＴＭ１（１ａ，１ｂ，１ｃ，１ｄ，・・・）と、センタ８０に設置されるサーバ８１およびコンテンツ配信装置８２とを備え、ＡＴＭ１とサーバ８１とがネットワーク９０とで通信可能に接続されている。
サーバ８１は、ネットワークサーバである。
コンテンツ配信装置８２は、ＡＴＭ１にインストールされたソフトウェアのアップデートデータや、画面に表示させる情報等を、サーバ８１を介して、各ＡＴＭ１に配信（送信）する。
【００２０】
（図３）
図３は、ＡＴＭの内部構成を示すブロック図である。
図３に示すように、ＡＴＭ１は、タッチパネル２と、アイキャッチャディスプレイ５と、近接センサ６と、スピーカ１１と、制御部２１と、紙幣取扱部２２と、硬貨取扱部２３と、カードリーダライタ部２４と、レシート部２５と、通信部２６と、タイマ２７と、記憶部３１とを備える。制御部２１が記憶部３１に格納されるプログラムを展開し、実行することによって自動取引装置１の各機能が実現される。
ここで、画像表示装置２０は、タッチパネル２と、アイキャッチャディスプレイ５と、制御部２１と、記憶部３１とで構成される。
【００２１】
紙幣取扱部２２は、紙幣の入出金を取り扱う構成部である。この紙幣取扱部２２は、入金時は紙幣入出金口９（図１）に投入された紙幣を内部に取り込み、制御部２１に計数させてから、不図示の格納庫に格納する機能を持つ。また、出金時は格納庫から紙幣を取り出して、紙幣入出金口９に排出する機能等を備える。
【００２２】
硬貨取扱部２３は、硬貨の入出金を取り扱う構成部である。硬貨取扱部２３は、紙幣取扱部２２と同様に、入金時は硬貨入出金口１０（図１）に投入された硬貨を内部に取り込み、制御部２１に計数させてから、不図示の格納庫に格納する機能を持つ。また、出金時は格納庫から硬貨を取り出して、硬貨入出金口１０に排出する機能等を備える。
【００２３】
カードリーダライタ部２４は、カード挿入排出口７（図１）に挿入された媒体カードを読み取ってデータを抽出し、制御部２１に出力する機能を持つ。また、制御部２１からの書き込み要求に応じてデータを媒体カードに記録する機能も持つ。レシート部２５は、用紙に取引履歴を印字する。この用紙は、媒体カードと共に、カード挿入排出口７に排出される。
通信部２６は、ネットワーク９０と接続し、データの送受信を行う。
タイマ２７は、時刻を取得する。
【００２４】
記憶部３１は、データやプログラムを記憶する、例えば、ＨＤＤ（Hard Disc Drive）や、ＲＡＭ（Random Access Memory）等である。この実施形態１の自動取引装置１が備える記憶部３１には、アイキャッチャディスプレイ５の輝度（高／低）を調整するための情報や、スピーカ１１から出力される音源データが記憶されている。
【００２５】
制御部２１は、例えば、ＣＰＵ（Central Processing Unit）であり、記憶部３１に記憶されたデータやプログラムを実行して処理を行う。本実施形態１の制御部２１は、少なくとも次の機能を備える。制御部２１は、タッチパネル２（操作入力部４）に入力された指示を受け付け、その指示に応じて処理を行い、自動取引装置１全体を制御する機能と、タッチパネル２（画面表示部３）に表示する画面を生成する機能と、アイキャッチャディスプレイ５に表示する画面を生成する機能と、操作入力部４で選択された取引処理を実行し、紙幣取扱部２２、硬貨取扱部２３、レシート部２５、およびカードリーダライタ部２４を制御する機能と、通信部２６を制御してセンタ８０側の装置（サーバ８１およびコンテンツ配信装置８２）と通信を行い、センタ８０側から要求データを送信させる機能と、アイキャッチャディスプレイ５の画面の輝度を制御する機能と、テンプレートに基づき音源データを組み合わせて一連の音声データを生成し、スピーカ１１に音声出力させる機能等を備える。
【００２６】
（動作の説明）
図１２を用いて、本発明に係る画像表示装置を備えた自動取引装置で行われる画像表示動作について説明する。
まず、制御部２１は、自動取引装置１から離れた場所にいる人を対象とした情報をアイキャッチャディスプレイ５に『輝度：高』で表示させる（ステップＳ１０１）。このとき、アイキャッチャディスプレイ５には、図４（ａ）〜（ｄ）に示すような画面が、高い輝度で表示される。また、後記する図７や図８に示すような画面を表示させてもよい。また、節電のためタッチパネル２の画面表示をオフにしておく。例えば、バックライトをオフさせておいてもよい。
【００２７】
このとき、アイキャッチャディスプレイ５には、図４（ａ）〜（ｄ）に示すような画面を表示させる。画面には、画面上段の領域にて、「いらっしゃいませ  下の画面でご用件のボタンを押してください」という文章が右から左に流れるように表示される。また、画面下段の領域にて、「お引出し、お預入れ、お振込み、残高照会、通帳記入」という当該装置で取り扱い可能な用件を示す表示がされている。
【００２８】
近接センサ６が顧客の接近を検知して、近接センサがオンとなる（ステップＳ１０２）ことで、制御部２１は、スピーカ１１から「いらっしゃいませ」や「お取引の内容を選択してください」等の音声を出力させ（ステップＳ１０３）、顧客に次のアクションを促す。
【００２９】
タッチパネル２が顧客（操作者）に触れられたことを検知する（ステップＳ１０４）ことで、制御部２１は、アイキャッチャディスプレイ５の画面を図６に示すように『輝度：低』で表示させる（ステップＳ１０５）。また、制御部２１は、タッチパネル２には図５に示す取引選択画面を表示させる（ステップＳ１０６）。さらに、制御部２１は、スピーカ１１から「お取引の内容を選択してください」等の音声を出力させてもよい。
【００３０】
このとき、タッチパネル２には、図５に示すような取引選択画面が表示される。画面には、操作者が希望する取引を選択可能なように「お引出し、お預入れ、お振込み、残高照会、通帳記入」のボタンが表示される。
そして、アイキャッチャディスプレイ５には、図６に示すような画面を表示させる。画面には、図４と同じ表示内容であるが、バックライトを消灯する等して、輝度を低くして表示させる。
このように、アイキャッチャディスプレイ５の画面を『輝度：低』で表示させることで、タッチパネル２の画面にて、アイキャッチャディスプレイ５の画面からの漏れ光が反射して、操作者がタッチパネル２の画面を視認しにくいという問題を回避することができる。
【００３１】
その後、タッチパネル２の画面を操作者が操作することで、自動取引装置１とセンタ８０側の装置（サーバ８１およびコンテンツ配信装置８２）の間で取引処理が行われる（ステップＳ１０７）。この操作による取引処理については説明を省略する。
取引処理終了後、制御部２１は、アイキャッチャディスプレイ５に図９に示す取引終了画面を表示させる（ステップＳ１０８）。さらに、スピーカ１１から「御利用いただきありがとうございました」等の音声を出力させてもよい。
【００３２】
そして、顧客（操作者）が自動取引装置１から離れ、近接センサ６が顧客の接近を検知できなくなり、近接センサ６がオフとなる（ステップＳ１０９）ことで、制御部２１は、設定を初期状態に戻すリセット処理を行って（ステップＳ１１０）、ステップＳ１０１に戻る。これにより、再び自動取引装置１から離れた場所にいる人を対象とした情報がアイキャッチャディスプレイ５に『輝度：高』で表示される。
また、節電のためタッチパネル２の画面表示をオフにしておく。例えば、バックライトをオフさせておいてもよい。
【００３３】
上記の処理において、アイキャッチャディスプレイ５の輝度を高輝度（『輝度：高』）に切り替えるタイミングを、近接センサ６がオフとなったとき（ステップＳ１０９参照）としたが、ステップＳ１０８で取引終了画面を表示させた時から、所定時間が経過した時を高輝度に切り替えるタイミングとしてもよい。この場合、制御部２１は、タイマ２７を用いて、取引終了画面を表示させた時からの時間を計測し、予め記憶部３１に記憶させておいた所定時間となった時に、『輝度：高』に切り替えればよい。
【００３４】
次に、アイキャッチャディスプレイ５に表示される情報及び情報を表示させる際の輝度変更の例について説明する。
図７は一般的な自社広告、図８は一般的な外部広告の一例であり、いずれも、自動取引装置１から離れた場所にいる人を対象としてアイキャッチャディスプレイ５に表示される情報の一例である。
これら広告等の画像およびその画像の表示時間帯は、予め記憶部３１に記憶されている。アイキャッチャディスプレイ５には、制御部２１により、タイマ２７から得られる時刻と、記憶部３１に記憶された表示時間帯とに基づき、画像が切り替えられて表示される。
【００３５】
また、図８に示すような、表示日程（掲載期間）が限られた広告等の画像およびその画像の表示時間帯は、ネットワーク９０を介して、コンテンツ配信装置８２から配信され、記憶部３１に記憶される。
図９は、アイキャッチャディスプレイ５に表示される取引終了画面の一例である。
【００３６】
また、上記の処理においては、顧客（操作者）によりタッチパネルが操作されるとアイキャッチャディスプレイ５の画面を『輝度：低』で表示させるとしたが、操作中の顧客（操作者）に対して注意を喚起したい情報を表示させたい場合は、アイキャッチャディスプレイ５の画面を『輝度：高』で表示させるようにしてもよい。
【００３７】
図１０は、アイキャッチャディスプレイ５に表示される顧客（操作者）への注意喚起情報の一例である。図１２のステップＳ１０４にて、タッチパネル２が顧客（操作者）に触れられたことを検知することで、ステップＳ１０５にて、制御部２１は、アイキャッチャディスプレイ５の画面を『輝度：低』で表示させている。ステップＳ１０６にて、タッチパネル２に図５に示す取引選択画面が表示されているときに、操作者によって「お振込み」ボタンが選択された場合、制御部２１は、図１０に示す注意喚起情報「振り込め詐欺に注意してください」という画面を、アイキャッチャディスプレイ５に『輝度：高』で表示させる。
【００３８】
このように、アイキャッチャディスプレイ５に注意喚起情報を表示するときには、『輝度：低』ではなく、『輝度：高』で表示させることで、操作者に注意喚起情報を気付かせることができる。なお、注意喚起情報を『輝度：高』でアイキャッチャディスプレイ５に表示させた後、操作者のタッチパネル２の操作による取引進行に伴いアイキャッチャディスプレイ５の画面を『輝度：低』に変更して表示するようにしてもよい。また、注意喚起情報を『輝度：高』でアイキャッチャディスプレイ５に表示させた後、タイマ２７から得られた時刻により所定時間が経過した後、『輝度：低』に変更するようにしてもよい。
【００３９】
図１１は、アイキャッチャディスプレイ５に表示される別の注意喚起情報の一例である。
アイキャッチャディスプレイ５にて『輝度：高』で表示されているとき、例えば、図１０に示すような注意喚起情報が表示されているときに、次に、別の注意喚起情報に切り替えて表示する場合、制御部２１は、アイキャッチャディスプレイ５の画面に別の注意喚起情報を表示させ、さらに画面を複数回点滅させる。この点滅は、アイキャッチャディスプレイ５の輝度を、短時間で『輝度：高』と『輝度：低』との切り替えを繰り返し行うことで得られる。
このように、操作者がタッチパネル２を操作中のとき、タッチパネル２を注視するため、アイキャッチャディスプレイ５の表示が切り替わったことに気付かないことがある。また、高輝度の画面から、高輝度の別の画面に切り替えて表示させても、切り替わったことに気付きにくい。そこで、点滅させることにより、操作者に対して、アイキャッチャディスプレイ５の表示が変更したことを気付かせることができる。
【００４０】
画面それぞれの輝度の設定や、点滅の輝度切り替え時間間隔等の各種設定は、センタ８０からコンテンツ配信装置８２から送信されるデータと共に送信され、記憶部３１に記憶される。
【００４１】
［実施形態２］
＜画像表示装置が備えられた自動チェックイン装置の構成＞
以下、図１３〜図１５を参照して、本実施形態２に係る画像表示装置を備える自動チェックイン装置の構成について説明する。図１〜図３に示す自動取引装置１と共通する処理を行う構成要素や同様な構成要素については、同一の符号を付し、それらの重複する説明を省略する。
特に、自動発券装置としての自動チェックイン装置１Ａは、図２に示す、自動取引装置１を含むコンテンツ配信システムと同様の構成であるため、説明を省略する。
【００４２】
この本実施形態２に係る画像表示装置２０Ａは、タッチパネル２を注視している操作中の顧客（操作者）に、アイキャッチャディスプレイ５に表示された情報を確認させるために、アイキャッチャディスプレイ５の輝度を変えて表示する装置である。
【００４３】
図１３は、本発明に係る画像表示装置を備えた自動チェックイン装置の外観図であり、図１４は、自動チェックイン装置の左側面図であり、自動チェックイン装置のサイズ、アイキャッチャディスプレイの表示面とタッチパネルの表示面とで成す角度を示す図である。
【００４４】
図１３および図１４に示すように、第２実施形態における画像表示装置２０Ａが備えるタッチパネル２とアイキャッチャディスプレイ５とは、近接して設置されている。そのため、タッチパネル２を注視している操作中の顧客（操作者）に対して、アイキャッチャディスプレイ５の輝度を『輝度：やや高』（中輝度）に変えて表示することで、操作者に、アイキャッチャディスプレイ５の表示に何か変化があったことを気づかせることができる。
【００４５】
図１３に示す自動チェックイン装置１Ａは、例えば、鉄道の駅や空港に設置され、乗車券の購入や旅客（顧客）のチェックイン処理を行ったり、顧客が予めインターネットで予約したチケットを受け取ったりすることができる端末である。この自動チェックイン装置１Ａは、顧客がタッチパネル２を操作して行った手順に基づき処理が行われ、自動チェックイン装置１Ａの内部でチケットが印刷されて、チケットプリンタ６２から排出される。
【００４６】
図１４に示すように自動チェックイン装置１Ａは、立ち操作を基本とした端末として、装置の高さをＬ（約１６００ｍｍ）とし、顧客が主に操作するタッチパネル２は、画面を垂直面に対して装置後方にθ（約２０°）倒した角度に配置している。すなわち、タッチパネル２とアイキャッチャディスプレイ５とは、鋭角θの角度を成している。このサイズは、顧客の身長を、女性５パーセンタイルから男性の９５パーセンタイルと設定した場合に、タッチパネル２の画面が見やすく操作しやすい配置としたためである。
【００４７】
図１３に示すように、自動チェックイン装置１Ａは、自動チェックイン装置１Ａを利用する顧客に対して画面が略垂直となるようにアイキャッチャディスプレイ５を設け、その下側にタッチパネル２、その下にチケットプリンタ６２を備える。また、前面には、カードリーダライタ部２４、近接センサ６を備える。またチケットプリンタ６２、カードリーダライタ部２４にはそれぞれ、顧客に挿入や受け取りを促す誘導用のフリッカランプ（不図示）を設けてある。さらに、音声やビープ音等を放音するスピーカ１１が、タッチパネル２の下方と、アイキャッチャディスプレイ５の上方とに設置されている。
【００４８】
（図１５）
図１５は、自動チェックイン装置の内部構成を示すブロック図である。
図１５に示すように、自動チェックイン装置１Ａは、アイキャッチャディスプレイ５と、近接センサ６と、スピーカ１１ａ，１１ｂと、制御部２１Ａと、カードリーダライタ部２４と、通信部２６ａ，２６ｂと、記憶部３１と、カメラ６１と、チケットプリンタ６２とを備える。
制御部２１Ａが記憶部３１に格納されるプログラムを展開し、実行することによって自動チェックイン装置１Ａの各機能が実現される。
ここで、画像表示装置２０Ａは、タッチパネル２と、アイキャッチャディスプレイ５と、制御部２１Ａと、記憶部３１とで構成される。
記憶部３１には、『輝度：高』（高輝度）と『輝度：低』（低輝度）と、この２つの輝度の中間で、やや明るくする程度の『輝度：やや高』（中輝度）の輝度情報が記憶される。
【００４９】
この自動チェックイン装置１Ａは、非接触でＩＣ（Integrated Circuit）カードの読み取りおよび書き込みを行うことができるカードリーダライタ部２４を備えるが、第１の実施形態の自動取引装置１のようにカード挿入排出口７を備えてもよい。
【００５０】
カメラ６１は、自動チェックイン装置１Ａの前面に備えられ、正面からの映像を撮影する。
チケットプリンタ６２は、用紙に印刷した搭乗券や乗車券等のチケットを排出する。
スピーカ１１ａはタッチパネル２の近傍に設置され、スピーカ１１ｂはアイキャッチャディスプレイ５の近傍に設置される。
【００５１】
第２の実施形態における通信部２６（２６ａ，２６ｂ）は、２本の通信回線を介してネットワーク９０と接続し、センタ８０側の装置（サーバ８１およびホストコンピュータ８２Ａ）と通信を行う。ここでは、１つの通信回線では、通常の取引処理を行うために必要なデータの送受信を行う。また、もう一方の通信回線では、アイキャッチャディスプレイ５に表示するリアルタイムな情報を取得するために必要なデータの送受信を行う。このように通信回線を２系統にすることで、通信回線が１本である場合に比べて、通信負荷を減らすことができる。
【００５２】
（動作の説明）
自動チェックイン装置１Ａでも、実施形態１の自動取引装置１と同様の動作を行うため、一部の説明を省略し、異なる部分の処理を説明する。
ステップＳ１０１にて、アイキャッチャディスプレイ５には、図４（ａ）〜（ｄ）に示す画面の代わりに、図１６（ａ）〜（ｃ）に示す画面が表示される。また、ステップＳ１０６にて、タッチパネル２には、図５の代わりに、図１７に示す言語選択画面が表示される。そして、ステップＳ１０５にて、アイキャッチャディスプレイ５には、図６の代わりに、図１８に示す画面が表示される。さらに、取引処理終了後のステップＳ１０８にて、アイキャッチャディスプレイ５に図２２に示す取引終了画面を表示させる。
【００５３】
図１６〜図１８および図２２の画面について簡単に説明する。
ステップＳ１０１にて、アイキャッチャディスプレイ５には、図１６（ａ）〜（ｄ）に示すように、「○×航空  自動チェックイン機    ○× aviation check-in machine」という文章が右から左に流れるように表示される。なお、このときのアイキャッチャディスプレイ５の輝度は実施形態１同様に、『輝度：高』で表示される。
ステップＳ１０６にて、タッチパネル２には、図１７に示すように、顧客（操作者）が選択可能なように「English、中文、日本語、その他」のボタンが表示される。
ステップＳ１０５にて、制御部２１Ａは、アイキャッチャディスプレイ５の画面を図１８に示すように『輝度：低』で表示させる。
ステップＳ１０８にて、取引処理終了後、制御部２１Ａは、アイキャッチャディスプレイ５の画面に図２２に示す取引終了画面を表示させる。
【００５４】
本実施形態２に係る自動チェックイン装置１Ａのアイキャッチャディスプレイ５は、図１６に示す、自動チェックイン装置１Ａから離れた場所にいる人を対象とした情報だけでなく、自動チェックイン装置１Ａを操作中の顧客（操作者）を対象とした情報をも提供する。自動チェックイン装置１Ａは、この「操作中の顧客を対象とした情報」を画面に表示させるとき、アイキャッチャディスプレイ５の輝度を『輝度：やや高』にする。これにより、アイキャッチャディスプレイ５から出射され、空気中の粒子または筐体にて反射や散乱した光（散乱光）が操作者の目に入る。このように、輝度を変化させることにより、操作者に、アイキャッチャディスプレイ５の表示に何か変化があったことを気づかせることができる。
この「操作中の顧客（操作者）を対象とした情報」の一例を、図１９〜図２１、および図２３を用いて説明する。
【００５５】
例えば、自動チェックイン装置１Ａは、顧客（操作者）の操作により、センタ８０に設置されたホストコンピュータ８２Ａ（図２におけるコンテンツ配信装置８２に該当）と通信を行って、座席指定等の処理を行わせる。このとき、処理に時間が掛かり待ち時間が発生する場合がある。この待ち時間を利用して、自動チェックイン装置１Ａは、アイキャッチャディスプレイ５に、図１９や図２０に示す到着時の天気や、図２１に示す注意喚起情報、図２３に示す広告を表示させる。
【００５６】
図１９は日本語表示画面、図２０は英語表示画面の一例であり、図１２におけるステップＳ１０６にて、タッチパネル２には、図１７に示すように、顧客が選択可能なように「English、中文、日本語、その他」のボタンが表示される。この時点での、アイキャッチャディスプレイ５の画面の輝度は、図６に示すように『輝度：低』で表示されている（ステップＳ１０５，図１２）。このとき、顧客がタッチパネル２に映った「日本語」のボタンを押下することで、図１９に示すような日本語の画面が、アイキャッチャディスプレイ５に『輝度：やや高』で表示される。また、「English」のボタンを押下することで、図２０に示すような英語の画面が、アイキャッチャディスプレイ５に『輝度：やや高』で表示される。これらアイキャッチャディスプレイ５に表示される、日本語や英語、中国語、その他の言語で翻訳された画面の情報は、予め記憶部３１に記憶されている。これにより、顧客（操作者）が操作するたびに各種言語の画面データを、ホストコンピュータ８２Ａから取得することを回避することができるため、通信負荷を減らすことができる。
【００５７】
図２１は、注意喚起情報の一例であり、アイキャッチャディスプレイ５に『輝度：やや高』で、画面上段の領域にてフォントサイズの大きな文字で「機内への持ち込みはできません！」と表示され、また、画面下段の領域にてフォントサイズの小さな文字で「ちいさなハサミを含む刃物類、ライター類の機内への持ち込みはできません。詳しくは係員にお尋ねください。」と表示される。
【００５８】
このように、画面上段の領域にて、自動チェックイン装置１Ａから離れた場所にいる人を対象とした情報を表示し、画面下段の領域にて、自動チェックイン装置１Ａを操作中の顧客（操作者）を対象とした情報を表示する。このように、操作者を対象とした情報は、表示する文字のフォントサイズを小さくし、遠方から見えにくくすると共に、画面により多くの情報を表示する。
【００５９】
図１９や図２１に示すように、表示情報をイラスト等で大きく表示することで、操作者以外の人に対して、自動チェックイン装置１Ａが便利で面白そうな端末であることをアピールすることができる。このようにアイキャッチャディスプレイ５に表示する内容により、搭乗手続きを、窓口カウンタではなく、この自動チェックイン装置１Ａが利用されるよう、誘導できることが期待できる。
【００６０】
固定メッセージ以外の、図２１に示す就航便の到着時刻における天気予報等、リアルタイムな情報は、その就航便の出発時間の所定時間前等、予め決められた時間前に、自動チェックイン装置１Ａは、ホストコンピュータ８２Ａに要求してリアルタイムな情報を取得しておく。これにより、操作者が入力した便情報から、到着地や到着時刻を特定し、天気用法等のリアルタイムな情報を表示することができる。このように、予めホストコンピュータ８２Ａから取得しておくことで、操作者が操作するたびにリアルタイムな情報を、ホストコンピュータ８２Ａから取得することを回避することができるため、通信負荷を減らすことができる。
【００６１】
以上に示すように、自動チェックイン装置１Ａを操作中の顧客（操作者）を対象とした情報（補足案内情報）を、アイキャッチャディスプレイ５に表示するとき、タッチパネル２を注視している操作者に気づかせるために、スピーカ１１から音声を出力すると共に、アイキャッチャディスプレイ５の輝度を、暗めの『輝度：低』から、やや明るめの『輝度：やや高』に変更する。このようにすることで、操作者に対して、アイキャッチャディスプレイ５の表示が変更したことを気付かせることができる。また、表示内容を黒や白といった背景色に変更したり、文字の色を変更したりして表示しても同様の効果が期待できる。
この補足案内情報は、タッチパネル２に表示された特定のボタンを操作者が押下することで、アイキャッチャディスプレイ５に表示させることもできる。
ここで『輝度：やや高』は、操作者が自動チェックイン装置１Ａを操作中に、アイキャッチャディスプレイ５の表示が操作の妨げとならない程度の輝度であり、タッチパネル２にアイキャッチャディスプレイ５の画面が映り込まない程度の輝度である。
【００６２】
また、不図示のテンキーを使って、クレジットカード番号や暗証番号を入力する場合や、航空機の座席位置を選択する場合は、操作者による入力内容が背面から盗み見されないように確認できるカメラ６１により撮影された映像をアイキャッチャディスプレイ５に表示させることができる。このとき、アイキャッチャディスプレイ５には『輝度：やや高』で映像が表示される。
【００６３】
以上の各種設定や、アイキャッチャディスプレイ５の輝度は、図１２のステップＳ１１０にて、初期状態に戻される。
【００６４】
また、自動チェックイン装置１Ａは、設置場所周辺にいる管理者に対して、アイキャッチャディスプレイ５にメッセージを表示させることもできる。チケットプリンタ６２にて何らかの異常が発生した場合、例えば、チケットプリンタ６２の用紙（チケットとして排出する紙）が残り少ない状態であることを不図示の用紙ニアエンドセンサが検知して、制御部２１Ａにその情報が通知される。制御部２１Ａは、通常の図１６に示す画面から、図２４に示すように文字を白抜きにした画面を表示させる。これを見た管理者は、チケットプリンタ６２にて何らかの異常が発生したことを知ることができる。これにより、警報ランプや警告音等のように管理者以外の人にも何らかの問題が発生したことを気付かせてしまう手段を用いずとも、管理者に通知することができる。また、白抜き表示ではなく、特別なマークを表示させたり、色を変えたり、輝度をさらに変えたりしてもよい。
【００６５】
（効果）
タッチパネル２の画面を垂直面に対して装置後方にθ（約２０°）倒した角度に配置し、アイキャッチャディスプレイ５を垂直に配置するようにした。これにより、操作性を確保すると共に、操作中の顧客（操作者）がアイキャッチャディスプレイ５の画面を確認することができる。そのため、アイキャッチャディスプレイ５には、自動チェックイン装置１Ａから離れた場所にいる人を対象とした情報だけでなく、自動チェックイン装置１Ａを操作中の顧客（操作者）を対象とした情報をも表示させることができる。
【００６６】
また、アイキャッチャディスプレイ５の輝度を複数段階（実施形態２では『輝度：高、やや高、低』の３段階）設け、タッチパネル２およびアイキャッチャディスプレイ５それぞれの近傍にスピーカ１１ａ，１１ｂを配置するようにした。これにより、自動チェックイン装置１Ａから離れた場所にいる人のみを対象とした情報を表示するときは、『輝度：高』で表示し、タッチパネル２の操作に集中して欲しいときは、『輝度：低』にすると共に、タッチパネル２近傍のスピーカ１１ａから音声を出力させる。そのため、操作者の注意をタッチパネル２に向かせることができる。逆に、アイキャッチャディスプレイ５の画面を確認して欲しいときは、『輝度：やや高』にすると共に、アイキャッチャディスプレイ５近傍のスピーカ１１ｂから音声を出力させる。
【００６７】
本発明は、前記した実施形態に限定されることなく、本発明の要旨を逸脱しない範囲で種々の変更や変形を行うことができる。
第２実施形態において、アイキャッチャディスプレイ５の輝度を『高／やや高／低』の３段階で表示することを示したが、さらに多段階で変更してもよい。例えば、装置内部に異常が発生したことを管理者に通知するときに、アイキャッチャディスプレイ５の輝度を『輝度：高』や『輝度：やや高』から、異常の重要度に応じて、さらに輝度を上げたり、下げたりして表示させてもよい。
【００６８】
第２実施形態の画像表示装置を自動チェックイン装置１Ａに備えた場合について説明したが、第２実施形態の画像表示装置をＡＴＭ１が備えてもよい。例えば、ＡＴＭ１が備えることで、図７〜図８，図１０〜図１１に示す画像を『輝度：やや高』で表示させる。これにより、タッチパネル２を注視している操作中の顧客（操作者）に確認させることができる。
【００６９】
また、第２実施形態の画像表示装置を、ＡＴＭ１や自動チェックイン装置１Ａだけでなく、駅の自動券売機や、料理店の食券の自動券売機、缶飲料等の自動販売機等に備えてもよい。すなわち、画面を備え、その画面に表示された情報（画像）に基づき顧客（操作者）が入力操作を行う装置であればよい。
【００７０】
アイキャッチャディスプレイ５の設置位置は、離れた場所からでも画面が見える位置に設置されていればよく、図１や図１３に示すようにタッチパネル２より上方の位置だけでなく、図２５に示すように、自動取引装置１や自動チェックイン装置１Ａの側面に縦型のアイキャッチャディスプレイ５を設置してもよい。これにより、装置正面に顧客（操作者）が立っていても、操作者の背後からアイキャッチャディスプレイ５の画面を見ることができる。
【符号の説明】
【００７１】
１      自動取引装置（ＡＴＭ）
１Ａ    自動チェックイン装置（自動発券装置）
２      タッチパネルディスプレイ
３      画面表示部
４      操作入力部
５      アイキャッチャディスプレイ
６      近接センサ
７      カード挿入排出口
８      通帳挿入排出口
９      紙幣入出金口
１０    硬貨入出金口
１１    スピーカ
２０，２０Ａ  画像表示装置
２１，２１Ａ  制御部
２２    紙幣取扱部
２３    硬貨取扱部
２４    カードリーダライタ部
２５    レシート部
２６    通信部
２７    タイマ
３１    記憶部
５１    画面表示部
５２    輝度変更部
９０    ネットワーク
【図１】
0005939040.tif 000002
【図２】
0005939040.tif 000003
【図３】
0005939040.tif 000004
【図４】
0005939040.tif 000005
【図５】
0005939040.tif 000006
【図６】
0005939040.tif 000007
【図７】
0005939040.tif 000008
【図８】
0005939040.tif 000009
【図９】
0005939040.tif 000010
【図１０】
0005939040.tif 000011
【図１１】
0005939040.tif 000012
【図１２】
0005939040.tif 000013
【図１３】
0005939040.tif 000014
【図１４】
0005939040.tif 000015
【図１５】
0005939040.tif 000016
【図１６】
0005939040.tif 000017
【図１７】
0005939040.tif 000018
【図１８】
0005939040.tif 000019
【図１９】
0005939040.tif 000020
【図２０】
0005939040.tif 000021
【図２１】
0005939040.tif 000022
【図２２】
0005939040.tif 000023
【図２３】
0005939040.tif 000024
【図２４】
0005939040.tif 000025
【図２５】
0005939040.tif 000026